(57)【要約】【課題】光ファイバの一方から測定光を入射するだけで単発的な振動も測定できるようにし、これにより低廉かつ簡易な構成で種々の振動を測定可能とする。【解決手段】遅延時間が互いに異なる複数の第２の光ファイバの遠端で反射される反射光パルスまたは反射光から、第１の光ファイバまたは第２の光ファイバに印加された振動による位相変化を検出し、当該検出された位相変化の違いをもとに、第１の光ファイバに対する振動の印加位置、または振動が印加された第２の光ファイバを特定する。【選択図】図１
2016085142.tif 000002
【特許請求の範囲】
【請求項１】
第１の光ファイバと、当該第１の光ファイバに対し合分岐部を介して接続され異なる遅延時間を持つ少なくとも２つの光ファイバを有する複数の第２の光ファイバとを利用し、前記第１の光ファイバ上の任意の位置に印加される振動を測定する光ファイバ振動センサであって、
前記第１の光ファイバの近端に、前記複数の第２の光ファイバが持つ遅延時間の差の中で最も短い時間より短い時間幅を有する光パルスを入射する光発生部と、
前記光パルスの前記複数の第２の光ファイバの遠端による反射光パルスを前記第１の光ファイバから分岐する分岐部と、
前記分岐された反射光パルスのうち前記遅延時間により時間的に分離された少なくとも２つの反射光パルスの各々から前記振動による位相変化を検出し、当該検出された位相変化の違いをもとに前記第１の光ファイバに対する振動の印加位置を特定する振動測定部と
を具備することを特徴とする光ファイバ振動センサ。
【請求項２】
前記振動測定部は、
前記分岐部により分岐された反射光パルスを同一の２系列の反射光パルスに二分岐する手段と、
前記分岐された第１の系列の反射光パルスに、前記光発生部が発生する光パルスのコヒーレンス時間以内でかつ前記２つの反射光パルスの遅延時間差より短い時間に設定された遅延を与える手段と、
前記遅延が与えられた反射光パルスと、前記分岐された第２の系列の反射光パルスとを合波して、これらの反射光パルス間のビート信号を生成する手段と、
前記生成されたビート信号の位相から、前記振動による反射光パルスの位相の変化を検出する手段と
を備えることを特徴とする請求項１記載の光ファイバ振動センサ。
【請求項３】
前記光発生部は、前記複数の第２の光ファイバが持つ遅延時間の中で最も長い遅延時間よりも長いコヒーレンス時間を持つ光信号を発生する光源を有し、
前記振動測定部は、
前記光源から発生された光信号を分岐し当該分岐された光信号を参照信号として出力する手段と、
前記分岐部により分岐された反射光パルスを前記参照信号と合波して、当該反射光パルスと参照信号とのビート信号を生成する手段と、
前記生成されたビート信号の位相から、前記振動による反射光パルスの位相の変化を検出する手段と
を備えることを特徴とする請求項１記載の光ファイバ振動センサ。
【請求項４】
第１の光ファイバと、当該第１の光ファイバに対し合分岐部を介して接続され各々が異なる遅延時間を持つ複数の第２の光ファイバとを利用し、前記複数の第２の光ファイバのうち振動が印加された第２の光ファイバを特定する光ファイバ振動センサであって、
前記第１の光ファイバの近端に、前記複数の第２の光ファイバが持つ遅延時間の差の中で最も短い時間より短い時間幅を有する光パルスを入射する光発生部と、
前記光パルスの前記複数の第２の光ファイバの遠端による反射光パルスを前記第１の光ファイバから分岐する分岐部と、
前記分岐された反射光パルスの各々から前記振動による位相変化を検出し、当該位相変化が検出された反射光パルスと当該反射光パルスの遅延時間とから、前記振動が加えられた第２の光ファイバを特定する振動測定部と
を具備することを特徴とする光ファイバ振動センサ。
【請求項５】
前記振動測定部は、
前記分岐部により分岐された反射光パルスを同一の２系列の反射光パルスに二分岐する手段と、
前記分岐された第１の系列の反射光パルスに、前記光発生部が発生する光信号のコヒーレンス時間以内でかつ前記第２の光ファイバが持つ遅延時間の差の中で最も短い時間差より短い時間に設定された遅延を与える手段と、
前記遅延が与えられた反射光パルスと、前記分岐された第２の系列の反射光パルスとを合波して、これらの反射光パルス間のビート信号を生成する手段と、
前記生成されたビート信号の位相から、前記振動による反射光パルスの位相の変化を検出する手段と
を備えることを特徴とする請求項４記載の光ファイバ振動センサ。
【請求項６】
前記光発生部は、前記複数の第２の光ファイバが持つ遅延時間の中で最も長い遅延時間よりも長いコヒーレンス時間を持つ光信号を発生する光源を有し、
前記振動測定部は、
前記光源から発生された光信号を分岐し当該分岐された光信号を参照信号として出力する手段と、
前記分岐部により分岐された反射光パルスを前記参照信号と合波して、当該反射光パルスと参照信号とのビート信号を生成する手段と、
前記生成されたビート信号の位相から、前記振動による反射光パルスの位相の変化を検出する手段と
を備えることを特徴とする請求項４記載の光ファイバ振動センサ。
【請求項７】
光ファイバ上の任意の位置に印加される振動を測定する光ファイバ振動センサであって、
前記光ファイバの遠端部に配置され、第１の波長の光を反射する第１の反射部と、
前記光ファイバの遠端部において前記第１の反射部に対し予め設定された光路長を隔てて配置され、前記第１の波長とは異なる第２の波長の光を反射する第２の反射部と、
前記光ファイバの近端に、前記第１及び第２の波長を有する測定光を入射する光発生部と、
前記測定光の前記第１及び第２の反射部による反射光を前記光ファイバから分岐する分岐部と、
前記分岐された第１の反射部による反射光と第２の反射部による反射光の各々から前記振動による位相変化を検出し、当該検出された位相変化の違いをもとに前記光ファイバに対する振動の印加位置を特定する振動測定部と
を具備することを特徴とする光ファイバ振動センサ。
【請求項８】
前記振動測定部は、
前記分岐部により分岐された前記第１及び第２の反射部による反射光を同一の２系列の反射光に二分岐する手段と、
前記分岐された第１の系列の反射光に、前記光発生部が発生する光信号のコヒーレンス時間以内でかつ前記第１及び第２の反射部間の光路長に対応する時間差より短い時間に設定された遅延を与える手段と、
前記遅延が与えられた反射光と、前記分岐された第２の系列の反射光とを合波して、これらの反射光間のビート信号を生成する手段と、
前記生成されたビート信号の位相から、前記振動による反射光の位相の変化を検出する手段と
を備えることを特徴とする請求項７記載の光ファイバ振動センサ。
【請求項９】
前記光発生部は、前記光ファイバが持つ遅延時間よりも長いコヒーレンス時間を持つ光信号を発生する光源を有し、
前記振動測定部は、
前記光源から発生された光信号を分岐し当該分岐された光信号を参照信号として出力する手段と、
前記分岐部により分岐された反射光を前記参照信号と合波して、当該反射光と参照信号とのビート信号を生成する手段と、
前記生成されたビート信号の位相から、前記振動による反射光の位相の変化を検出する手段と
を備えることを特徴とする請求項７記載の光ファイバ振動センサ。
【請求項１０】
第１の光ファイバと、当該第１の光ファイバに対し合分岐部を介して接続され異なる遅延時間を持つ少なくとも２つの光ファイバを有する複数の第２の光ファイバとを利用し、前記第１の光ファイバ上の任意の位置に印加される振動を測定する振動測定方法であって、
前記第１の光ファイバの近端に、前記複数の第２の光ファイバが持つ遅延時間の差の中で最も短い時間より短い時間幅を有する光パルスを入射する過程と、
前記光パルスの前記複数の第２の光ファイバの遠端による反射光パルスを前記第１の光ファイバから分岐する過程と、
前記分岐された反射光パルスのうち前記遅延時間により時間的に分離された少なくとも２つの反射光パルスの各々から前記振動による位相変化を検出し、当該検出された位相変化の違いをもとに前記第１の光ファイバに対する振動の印加位置を特定する過程と
を具備することを特徴とする振動測定方法。
【請求項１１】
第１の光ファイバと、当該第１の光ファイバに対し合分岐部を介して接続され各々が異なる遅延時間を持つ複数の第２の光ファイバとを利用し、前記複数の第２の光ファイバのうち振動が印加された第２の光ファイバを特定する振動測定方法であって、
前記第１の光ファイバの近端に、前記複数の第２の光ファイバが持つ遅延時間の差の中で最も短い時間より短い時間幅を有する光パルスを入射する過程と、
前記光パルスの前記複数の第２の光ファイバの遠端による反射光パルスを前記第１の光ファイバから分岐する過程と、
前記分岐された反射光パルスの各々から前記振動による位相変化を検出し、当該位相変化が検出された反射光パルスと当該反射光パルスの遅延時間とから、前記振動が加えられた第２の光ファイバを特定する過程と
を具備することを特徴とする振動測定方法。
【請求項１２】
光ファイバ上の任意の位置に印加される振動を測定する、光ファイバを利用した振動測定方法であって、
前記光ファイバの近端に、第１及び第２の波長を有する測定光を入射する過程と、
前記光ファイバの遠端部に配置された第１の反射部により反射された前記第１の波長を有する測定光と、前記光ファイバの遠端部において前記第１の反射部に対し予め設定された光路長を隔てて配置された第２の反射部により反射された前記第２の波長を有する測定光とを前記光ファイバから分岐する過程と、
前記分岐された第１の波長を有する測定光および第２の波長を有する測定光の各々から前記振動による位相変化を検出し、当該検出された位相変化の違いをもとに前記光ファイバに対する振動の印加位置を特定する過程と
を具備することを特徴とする振動測定方法。
【発明の詳細な説明】
【技術分野】
【０００１】
この発明は、光ファイバ線路上の一点に振動が加わっている場合にその位置と振動周波数を測定する光ファイバ振動センサおよび振動測定方法に関する。
【背景技術】
【０００２】
光ファイバ技術を用いた干渉型のセンサとして、種々のものが研究開発されている。干渉型のセンサは、光の位相変化を測定することで温度や歪など様々な物理量を高感度に測定することができる。
【０００３】
この種のセンサの用途の１つとして、例えば測定物の保全および異常検知を目的とした、構造物に対する振動を検知する振動センサが考えられている。インフラなどの巨大な構造物の保全などへの応用を考えると、センサの有用性を高める機能として、現象の起きた位置を特定する位置特定機能が重要である。位置特定が可能なセンサ技術としては、リング型干渉計を用いたものや、光ファイバ内部の各点からの反射光を測定するものなどが研究されている。
【０００４】
リング型干渉計を用いた振動位置特定技術としては、非特許文献１または非特許文献２に記載されている技術が検討されている。非特許文献１に記載された技術では、リングに遅延が加わるようなサブループを加えることで位置を特定している。また、非特許文献２に記載された技術では、複数の波長のレーザを用いることで位置を特定している。
【０００５】
反射光を測定するものとしては、光ファイバでの光反射時間領域測定法（ＯＴＤＲ：Optical Time Domain Reflectometry）を用いたものが検討されている。この方法は、例えば非特許文献３に記載されるように、光ファイバ内部の各点からの反射光を測定し、それぞれの反射光を受光した時間により反射位置を特定し、その反射光の位相から振動を検知するものとなっている。
【先行技術文献】
【非特許文献】
【０００６】
【非特許文献１】P.R.Hoffman, et al, “Position determination of an acoustic burst along a Sagnac Interferometer,” Journal of Lightwave Technology, vol.22, No.2, February, 2004
【非特許文献２】戸倉外、”光ファイバリング干渉型振動センサによる振動位置の同定”、フジクラ技報No.103, P18, 2002
【非特許文献３】Y. Lu, et al, “Distributed vibration sensor based on coherent detection of phase-OTDR,” Journal of Lightwave Technology, vol. 28, No. 22, November, 2010
【発明の概要】
【発明が解決しようとする課題】
【０００７】
リング型干渉計を用いた振動センサでは、光ファイバ線路の両端から光を入射する必要があり、設置の自由度が制限される。また振動位置を特定する際には、サブループを通過した光の制御部や高価な光源と検出器を２組使うなどの問題がある。
【０００８】
また、ＯＤＴＲを用いた方法では、光ファイバ線路の一方から光パルスを入射することで測定することが可能であるが、反射光が弱いため平均化処理が必要となり、測定に時間がかかってしまう。また、この平均化処理を行う期間に振動が加わり続けていないと測定することができないため、ある短時間のみ振動が加わるような単発の振動に対しては測定が困難である。
【０００９】
この発明は上記事情に着目してなされたもので、その目的とするところは、光ファイバの一方から測定光を入射するだけで単発的な振動も測定できるようにし、これにより低廉かつ簡易な構成で種々の振動を測定することが可能な光ファイバ振動センサおよび振動測定方法を提供することにある。
【課題を解決するための手段】
【００１０】
上記目的を達成するためにこの発明は以下のような各種態様を備える。  
第１の態様は、第１の光ファイバと、当該第１の光ファイバに対し合分岐部を介して接続され異なる遅延時間を持つ少なくとも２つの光ファイバを有する複数の第２の光ファイバとを利用し、前記第１の光ファイバ上の任意の位置に印加される振動を測定する光ファイバ振動センサであって、前記第１の光ファイバの近端に、前記複数の第２の光ファイバが持つ遅延時間の差の中で最も短い時間より短い時間幅を有する光パルスを入射する光発生部と、前記光パルスの前記複数の第２の光ファイバの遠端による反射光パルスを前記第１の光ファイバから分岐する分岐部と、前記分岐された反射光パルスのうち前記遅延時間により時間的に分離された少なくとも２つの反射光パルスの各々から前記振動による位相変化を検出し、当該検出された位相変化の違いをもとに前記第１の光ファイバに対する振動の印加位置を特定する振動測定部とを具備することを特徴とするものである。
【００１１】
第２の態様は、前記第１の態様において、前記振動測定部が、前記分岐部により分岐された反射光パルスを同一の２系列の反射光パルスに二分岐する手段と、前記分岐された第１の系列の反射光パルスに、前記光発生部が発生する光パルスのコヒーレンス時間以内でかつ前記２つの反射光パルスの遅延時間差より短い時間に設定された遅延を与える手段と、前記遅延が与えられた反射光パルスと、前記分岐された第２の系列の反射光パルスとを合波して、これらの反射光パルス間のビート信号を生成する手段と、前記生成されたビート信号の位相から、前記振動による反射光パルスの位相の変化を検出する手段とを備えることを特徴とするものである。
【００１２】
第３の態様は、前記第１の態様において、前記光発生部が、前記複数の第２の光ファイバが持つ遅延時間の中で最も長い遅延時間よりも長いコヒーレンス時間を持つ光信号を発生する光源を有し、前記振動測定部が、前記光源から発生された光信号を分岐し当該分岐された光信号を参照信号として出力する手段と、前記分岐部により分岐された反射光パルスを前記参照信号と合波して、当該反射光パルスと参照信号とのビート信号を生成する手段と、前記生成されたビート信号の位相から、前記振動による反射光パルスの位相の変化を検出する手段とを備えることを特徴とするものである。
【００１３】
第４の態様は、第１の光ファイバと、当該第１の光ファイバに対し合分岐部を介して接続され各々が異なる遅延時間を持つ複数の第２の光ファイバとを利用し、前記複数の第２の光ファイバのうち振動が印加された第２の光ファイバを特定する光ファイバ振動センサであって、前記第１の光ファイバの近端に、前記複数の第２の光ファイバが持つ遅延時間の差の中で最も短い時間より短い時間幅を有する光パルスを入射する光発生部と、前記光パルスの前記複数の第２の光ファイバの遠端による反射光パルスを前記第１の光ファイバから分岐する分岐部と、前記分岐された反射光パルスの各々から前記振動による位相変化を検出し、当該位相変化が検出された反射光パルスと当該反射光パルスの遅延時間とから、前記振動が加えられた第２の光ファイバを特定する振動測定部とを具備することを特徴とするものである。
【００１４】
第５の態様は、前記第４の態様において、前記振動測定部が、前記分岐部により分岐された反射光パルスを同一の２系列の反射光パルスに二分岐する手段と、前記分岐された第１の系列の反射光パルスに、前記光発生部が発生する光信号のコヒーレンス時間以内でかつ前記第２の光ファイバが持つ遅延時間の差の中で最も短い時間差より短い時間に設定された遅延を与える手段と、前記遅延が与えられた反射光パルスと、前記分岐された第２の系列の反射光パルスとを合波して、これらの反射光パルス間のビート信号を生成する手段と、前記生成されたビート信号の位相から、前記振動による反射光パルスの位相の変化を検出する手段とを備えることを特徴とするものである。
【００１５】
第６の態様は、前記第４の態様において、前記光発生部が、前記複数の第２の光ファイバが持つ遅延時間の中で最も長い遅延時間よりも長いコヒーレンス時間を持つ光信号を発生する光源を有し、前記振動測定部が、前記光源から発生された光信号を分岐し当該分岐された光信号を参照信号として出力する手段と、前記分岐部により分岐された反射光パルスを前記参照信号と合波して、当該反射光パルスと参照信号とのビート信号を生成する手段と、前記生成されたビート信号の位相から、前記振動による反射光パルスの位相の変化を検出する手段とを備えることを特徴とするものである。
【００１６】
第７の態様は、光ファイバ上の任意の位置に印加される振動を測定する光ファイバ振動センサであって、前記光ファイバの遠端部に配置され、第１の波長の光を反射する第１の反射部と、前記光ファイバの遠端部において前記第１の反射部に対し予め設定された光路長を隔てて配置され、前記第１の波長とは異なる第２の波長の光を反射する第２の反射部と、前記光ファイバの近端に、前記第１及び第２の波長を有する測定光を入射する光発生部と、前記測定光の前記第１及び第２の反射部による反射光を前記光ファイバから分岐する分岐部と、前記分岐された第１の反射部による反射光と第２の反射部による反射光の各々から前記振動による位相変化を検出し、当該検出された位相変化の違いをもとに前記光ファイバに対する振動の印加位置を特定する振動測定部とを具備することを特徴とするものである。
【００１７】
第８の態様は、前記第７の態様において、前記振動測定部が、前記分岐部により分岐された前記第１及び第２の反射部による反射光を同一の２系列の反射光に二分岐する手段と、前記分岐された第１の系列の反射光に、前記光発生部が発生する光信号のコヒーレンス時間以内でかつ前記第１及び第２の反射部間の光路長に対応する時間差より短い時間に設定された遅延を与える手段と、前記遅延が与えられた反射光と、前記分岐された第２の系列の反射光とを合波して、これらの反射光間のビート信号を生成する手段と、前記生成されたビート信号の位相から、前記振動による反射光の位相の変化を検出する手段とを備えることを特徴とするものである。
【００１８】
第９の態様は、前記第７の態様において、前記光発生部が、前記光ファイバが持つ遅延時間よりも長いコヒーレンス時間を持つ光信号を発生する光源を有し、前記振動測定部が、前記光源から発生された光信号を分岐し当該分岐された光信号を参照信号として出力する手段と、前記分岐部により分岐された反射光を前記参照信号と合波して、当該反射光と参照信号とのビート信号を生成する手段と、前記生成されたビート信号の位相から、前記振動による反射光の位相の変化を検出する手段とを備えることを特徴とするものである。
【発明の効果】
【００１９】
この発明の各態様によれば、遅延時間が互いに異なる複数の第２の光ファイバの遠端で反射される反射光パルスまたは反射光から、第１の光ファイバまたは第２の光ファイバに印加された振動による位相変化が検出され、当該検出された位相変化の違いをもとに、第１の光ファイバに対する振動の印加位置、または振動が印加された第２の光ファイバが特定される。このため、近端側からの測定により振動を測定することができ、これにより複雑な機構を用いずに簡易な測定が可能となり、また効率的かつ低廉な振動センサを提供することができる。この結果、光ファイバ線路保守における振動を検知しての予防保全や、様々なインフラなどの構造物に対する保守管理の効率化に貢献する。
【図面の簡単な説明】
【００２０】
【図１】この発明の第１の実施形態に係る光ファイバ振動センサの構成を示す図。
【図２】振動の印加位置ｘをパラメータとしたときの振動周波数ｗｓと各反射波の振幅比Ｐｒとの関係を示す図。
【図３】振動周波数ｗｓをパラメータとしたときの振動位置ｘと各反射波の振幅比Ｐｒとの関係を示す図。
【図４】この発明の第２の実施形態に係る光ファイバ振動センサの構成を示す図。
【図５】この発明の第５の実施形態に係る光ファイバ振動センサの光ファイバ線路遠端部の構成を示す図。
【発明を実施するための形態】
【００２１】
以下、図面を参照してこの発明に係わる実施形態を説明する。  
［第１の実施形態］
（構成）
図１は、この発明の第１の実施形態に係る光ファイバ振動センサの構成を示す図である。  
図１において、Ｆ０は振動測定に使用する光ファイバであり、被測定対象となる構造物に接触するように配置される。光ファイバＦ０の近端には、例えば光サーキュレータまたは光カプラにより構成されるパルス入射部３が配置され、このパルス入射部３には測定用の光パルスが入射される。この測定用の光パルスは、光源１から発生されたレーザ光をもとに光パルス生成部２により生成される。なお、図中１１は光ファイバＦ０に振動が加わった部位（以後振動付加部と称する）を示す。
【００２２】
上記光ファイバＦ０には、例えばパワースプリッタを用いた分岐部４を介して複数の分岐下部光ファイバＦ１〜Ｆｎが接続されている。各分岐下部光ファイバＦ１〜Ｆｎは、上記光ファイバＦ０から分岐部４を介して伝播された光パルスが、遠端部５−１〜５−ｎにより反射されて上記光ファイバＦ０に戻るときの遅延時間が２種類以上となるように構成される。具体的には、分岐下部光ファイバＦ１〜Ｆｎのうち少なくとも２つが光伝送路長の異なる長さとなるように設定されている。
【００２３】
なお、光伝送路長を異ならせる代わりに、分岐下部光ファイバＦ１〜Ｆｎのうちの少なくとも２つを屈折率の違いにより光伝搬速度の異なるものとしたり、光源１から２種類以上の波長の光を用いて分岐下部光ファイバＦ１〜Ｆｎの光伝搬速度または遅延時間の異なる値にするようにしてもよい。
【００２４】
また、上記測定用の光パルスは、そのパルス幅が分岐下部光ファイバＦ１〜Ｆｎの遅延時間の差の中で最も短いものよりも短い長さとなるように設定される。例えば、分岐下部光ファイバＦ１〜Ｆｎの遅延時間の差の最小値が１μsだった場合には、パルス幅は当該１μsよりも短い値に設定される。
【００２５】
また、分岐下部光ファイバＦ１〜Ｆｎとして既設のＦＴＴＨ（Fiber to the Home）システムの分岐光ファイバを使用する場合には、遠端部５−１〜５−ｎとして既存の反射フィルタを利用することが可能である。このようにすると反射光パルスのＳ／Ｎを高めて振動の測定精度を高めることが可能となる。なお、必ずしも反射フィルタを使用する必要はなく、反射ファイルのない遠端部であってもこの発明に関する振動測定は可能である。
【００２６】
上記パルス入射部３は、上記光ファイバＦ０に光パルスを入射すると共に、上記各分岐下部光ファイバＦ１〜Ｆｎにより反射された各反射光パルスを測定用分岐線路に分岐させる。測定用分岐線路は、分岐部６、遅延部７、合波部８および受光部９を備える。分岐部６と合波部８との間は２つの異なる光線路により接続され、一方の光線路には遅延部７が介挿されている。合波部８は、上記分岐下部光ファイバＦ１〜Ｆｎにより反射された反射光パルスごとに、上記異なる２つの光線路を経由した反射光パルスを合波してビート信号を生成する。受光部９は、上記反射光パルスごとに生成されたビート信号をそれぞれ電気信号に変換して計算処理部１０に入力する。
【００２７】
計算処理部１０はＣＰＵ（Central Processing Unit）を備え、プログラムメモリに格納されたプログラムを上記ＣＰＵに実行させることにより、上記入力された各反射光パルスのビート信号から、上記光ファイバＦ０の線路上で付加された振動の振動周波数と振動付加部１１の位置を算出する。
【００２８】
（動作）
次に、以上のように構成された光ファイバ振動センサの動作を説明する。  
構造物の予防保全のための異常検知を目的とする場合、光ファイバＦ０は振動の測定対象となる構造物の表面に接触した状態で配置される。
【００２９】
この状態で、光源１からレーザ光を発生させる。そうすると、このレーザ光をもとにパルス生成部２により測定用光パルスが生成され、この測定用光パルスがパルス入射部３を通して光ファイバＦ０に入射される。入射された測定用光パルスは光ファイバＦ０を通って分岐部４へ伝播するが、このとき上記構造物の任意の場所で振動が発生すると、当該振動が光ファイバＦ０に印加され、この上記光パルス信号が位相変調される。なお、図１では振動付加部１１において振動が発生した場合を示している。
【００３０】
上記位相変調された光パルスは、分岐部４により分岐されて分岐下部光ファイバＦ１〜Ｆｎにそれぞれ伝播され、当該分岐下部光ファイバＦ１〜Ｆｎの遠端部５−１〜５−５ｎでそれぞれ反射される。そして、当該反射光パルスは、分岐下部光ファイバＦ１〜Ｆｎを介して分岐部４に戻り、分岐部４で合波される。このとき、上記分岐下部光ファイバＦ１〜Ｆｎはそのうちの少なくとも２つが遅延時間が相互に異なるように構成されている。このため、上記合波された光信号には少なくとも遅延時間の異なる２つの反射光パルスが含まれることになる。
【００３１】
上記合波された反射光パルスは、振動付加部１１を通過するときに再度位相変調されたのち、パルス入射部３で分岐されて測定用分岐線路の分岐部６に達する。そして、当該分岐部６で二分岐され、一方はそのまま合波部８に伝播し、他方は遅延部７により一定量の遅延を受けたのち上記合波部８に伝播して、当該合波部８で合波される。このとき、遅延部７の遅延量は、光源１から発生されるレーザ光のコヒーレンス長以下の長さに設定されている。このようにすることで、振動の位相差を確実に検出できるようになる。なお、遅延部７の遅延量をレーザ光のコヒーレンス長以上の長さにすると、位相差がランダムになって、振動による位相差を検出できなくなる。
【００３２】
上記合波部８の合波により、反射光パルスごとにビート信号が生成される。この生成されるビート信号には、光源１が発生するレーザ光の光周波数による位相差だけではなく、上記振動付加部１１を往路および復路の２回に渡り通過した際に受けた位相変調による位相差が含まれる。ビート信号は、受光部９で受光されて電気信号に変換され、計算処理部１０に入力される。
【００３３】
計算処理部１０では、次のような計算処理が行われる。  
いま、パルス入射部３を基準位置（ｘ＝０）とし、振動付加部１１の位置をｘ＝ｘ0、パルス入射部３から分岐部４までの距離をＬ(m) 、分岐部４から各遠端部５−１〜５−ｎまでの遅延時間の差を光伝送路長の差により作るものとして、分岐部４から各遠端部５−１〜５−ｎまでの距離をａ(m) ，ｂ(m) ，…とする。なお、この遅延時間の差は先に述べたように屈折率の違いや波長の違いなどでも設定することができるが、長さを時間に変えればよいだけなので、以降の計算は変わらない。
【００３４】
時間をｔとし、振動付加部１１ではφ(t) という関数表示される位相変調を受けるものとする。また、遠端部５−１〜５−ｎで反射し、再び振動付加部１１で位相変調を受け、パルス入射部３で分岐されて分岐部６に到達したときに、その反射光パルスのパワーをＰだとする。この反射光パルスに対して、遅延部７ではＴ(s) の遅延が与えられる。そして、この遅延が与えられた反射光パルスは、遅延が与えられなかった反射光パルスと合波部８で合波される。この合波によりビート信号が生成され、このビート信号は受光部９で受光され電気信号に変換される。この受光された光のパワーＰのビート信号成分（非直流成分）のうち長さがａ(m) の分岐下部光ファイバからの反射光パルスに関してのパワーをＰaとし、ｉを虚数単位、ω0を光源１の元の光周波数、ｖを光ファイバ中の光速とし、さらに受光される電界を√Ｐとすると、√Ｐa(t)は以下のように表される。
【００３５】
【数１】
2016085142.tif 000003
なお、以後の計算では、簡単のため
（２Ｌ＋２ａ）／ｖ＝ｔa ，（２Ｌ＋２ｂ）／ｖ＝ｔb ，…
とする。
【００３６】
受光部９では２乗検波されるため、受光パワーＰa(t) は
【数２】
2016085142.tif 000004
のように表される。
【００３７】
このとき、例えば受光部９でバランス受光技術を使用すれば、不要な直流成分をカットすることができ、効率的な測定が可能である。また、非特許文献２に記載されているように、合波部８を３×３光カプラにより構成し、受光部９に複数のフォトディテクタを用いると、位相の線形性を向上させて測定精度をさらに向上させることが可能となる。
【００３８】
測定される交流成分Ｐa(t) は、
【数３】
2016085142.tif 000005
のように表される。
【００３９】
ここで、加わる振動をφ(t) 、位置ｘｓに加わる振動の振動周波数をｗｓとし、
φ(t)＝Σφs sinωsｔ
とする（φs＜＜１）。このとき、Ｔは遅延部７により与えられる遅延量であるが、この遅延量Ｔは先に述べたように光源１から発生されるレーザ光のコヒーレンス時間以内の遅延量に設定されている。遅延部７による遅延処理は位相差が現れるビート信号を生成するために行われるため、光源１から発生されるレーザ光のコヒーレンスをより残す意味で、なるべく短い方がよい。数値としてはμsのオーダ以下、つまり５０m程度以下が想定される。
【００４０】
また、振動の周波数は、光ファイバＦ０の物理的振動なので、大きくても数十kHz程度が想定される。したがって、ｗｓＴ＜＜１となる。このとき、式(3) のcos の中は、以下のように簡単化される。
【００４１】
【数４】
2016085142.tif 000006
【００４２】
このため、式(3) は
【数５】
2016085142.tif 000007
となる。
【００４３】
これを計算すると、
【数６】
2016085142.tif 000008
となる。
【００４４】
ここで、
【数７】
2016085142.tif 000009
と、ｗｓＴ＜＜１を用いると、
【数８】
2016085142.tif 000010
となる。
【００４５】
交流成分のみを残して計算すると、最終的に測定される交流成分は
【数９】
2016085142.tif 000011
となる。
【００４６】
ａではなくｂの長さの分岐下部光ファイバからの反射光パルスの場合は、ａをｂに置き換えればよい。このとき、光ファイバＦ０の振動がある長さで起こる場合、同じ周波数ｗｓである範囲のｘｓで振動が起こることになる。この場合は、
【数１０】
2016085142.tif 000012
の公式を用いれば、複数のｘでの振動をその中心地に集約されるので問題ない。
【００４７】
この測定された交流成分を高速フーリエ変換などの周波数分解処理を行い、各振動周波数ｗｓとそれぞれでの振幅を計算する。そして、各交流成分の振幅（Ｐa，Ｐb，…とする）を求め、ファイバ長ａの分岐下部光ファイバとファイバ長ｂの分岐下部光ファイバとの間で振幅の比Ｐrを求めると、
【数１１】
2016085142.tif 000013
となる。
【００４８】
この値は、Ｐa とＰb が直接測定できる値であるから、それらを高速フーリエ変換等などの周波数分解処理により計算可能な値である。また、ｔa とｔb はＬ、ａ、ｂ、ｖから計算され、それぞれ既知の値である（Ｌ、ａ、ｂはファイバ線路設計で決まるかＯＴＤＲなど既存の方法で容易に測定可能である。またｖは一般的な光ファイバの屈折率を用いれば計算可能である）ため、Ｐrはｘｓをパラメータとして計算可能である。
【００４９】
例えば、Ｌ＝５km、ａ＝２．２km、ｂ＝１．５km、ｖ＝２×１０8m/sとし、横軸ｗｓ、縦軸Ｐr、ｘを一定とした場合には、図２に示すような計算結果が得られる。また横軸ｘ、縦軸Ｐr、ｗｓを一定とした場合には、図３に示すような計算結果が得られる。ｘ以外のパラメータは既知であるため、上記図２またはず３に示すグラフと、測定されたＰrとで一致する点を探せば、ｘを特定することが可能となる。なお、グラフは図２および図３のようにパラメータの取り方で複数の方法が計算できるが、グラフの作成方法に何ら制限はなく、(5) 式を満たすように作成すれば如何なるものであってもよい。
【００５０】
かくして、振動の発生位置を特定することができる。先に述べたように測定対象となる構造物の予防保全での異常検知を目的とする場合には、まず単一周波数の振動が加わることを想定し、フーリエ変換をする前にゼロ点を測定交流信号から検出する。もし単一周波数、もしくはそれに準ずる程度に単一周波数の振動がほかの周波数の振動より強ければ、式(4) でのゼロ点間隔Δｔが一定である。一定であれば、単一周波数振動であると判断し、Δｔからｗｓを検出し、式(5) のグラフを予め作成して記憶させておくことにより瞬時に特定可能である。計算時間は、ｗｓの特定と式(5) の計算と予め作成しておいたグラフとの比較処理のため、きわめて短時間となる。また、測定自体も、パルスの反射を測定するため、平均化処理のようなＳＮ比を高めるための処理も不要であるため、全体として非常に高速に測定することが可能である。
【００５１】
さらに、単一周波数の振動一つではない場合、複数の周波数が振動に加わっているので、測定交流信号を高速フーリエ変換などの周波数分解処理を行い、振動位置を特定する。周波数分解処理の計算に若干の時間がかかる可能性があるが、それは計算処理部１０の計算能力によって改善は可能であり、光の測定自体は単一周波数の振動時と同じように高速に実現可能であり、総合的に簡易で高速な測定が可能である。
【００５２】
さらに、振動の周波数がパルス幅の時間よりも長い周期をもつゆっくりとした振動の場合、１つのパルスの波形からは判断できない。しかし、この場合はいくつかのパルス波形を並べることでゆっくりとした振動も計測することができる。例えばパルス幅が１０μsで、振動が１kHz（周期１ms）の波形を測定しようとする場合には、５０個~１００個のパルス波形をつなげることで半周期以上の波形が分かるので、振動と振動位置を識別することが可能である。すなわち、調べたい振動の周波数により、パルス幅、測定波形個数を調整すれば容易に測定可能である。
【００５３】
また、１個１個のパルス波形を識別するにあたり、ＯＴＤＲのような平均化処理をしているわけではないので、各分岐下部からのすべてのパルスが戻ってくるまで待つ必要はなく、２つパルスを入射するときに、複数の反射からのパルスが重ならなければよい。このようにすればいくつものパルス波形を短時間で集めることができる。
【００５４】
さらに、光ファイバ配線の構成として、分岐の先に分岐を設置する等すれば、複雑な形の構造物を効率的にセンサすることも可能である。例えば、二分岐の先に二分岐を設置して、合計４つの分岐の反射端の長さを異なるものにすれば、４つのパルスを測定して計算することにより、２つ目の分岐までのファイバでの振動の位置を特定することができ、二股に分かれた形態の光ファイバ振動センサを構成できる。
【００５５】
［第２の実施形態］
図４は、この発明の第２の実施形態に係る光ファイバ振動センサの構成を示すものである。なお、同図において前記図１と同一部分には同一符号を付して詳しい説明は省略する。
【００５６】
光源１と光パルス生成部２との間には分岐部１２が設けてある。この分岐部１２は、光源１から発生されたレーザ光を光パルス生成用の光と、参照光とに分けるために使用される。また、測定用分岐線路２のパルス入射部３と受光部９との間には合波部１３が設けてある。この合波部１３は、パルス入射部３により分岐された反射光パルスと上記分岐部１２により分岐された参照光とを合波する。受光部９は、上記合波部１３により合波されることにより生成されたビート信号を受光して電気信号に変換視、計算処理部１０に入力する。
【００５７】
第２の実施形態では、コヒーレンス時間の長い光源１を用いる。長さの目安は、遅延時間が最も長い分岐下部光ファイバから反射光パルスが返ってくるまでの時間でも十分にコヒーレンスが残っている程度に設定される。例えば、往復で１μsが最大遅延時間の場合、少なくともそれ以上のコヒーレンス時間を持つ光源が用いられる。光スペクトル幅で表すと、数百kHz以下の光源が用いられる。
【００５８】
この場合、第１の実施形態のように反射光パルスに遅延を加えず、図４に示すように、光源１が発生する光を参照光として上記反射光パルスと合波することで、位相差を測定することが可能である。この場合、第１の実施形態の計算での遅延部７による遅延量Ｔがμs程度から最大ms程度まで大きくなることもあり得る。式(3) は、
【数１２】
2016085142.tif 000014
となる。
【００５９】
第１の実施形態と同じように、振動を
φ(t)＝Σφs sinωsｔ
とすると、測定される交流成分Ｐa(t) は、
【数１３】
2016085142.tif 000015
となる。
【００６０】
以降も同じように計算していくと、
【数１４】
2016085142.tif 000016
となる。
【００６１】
そして、第１の実施形態と同じように交流成分のみを取り出せば、
【数１５】
2016085142.tif 000017
となる。
【００６２】
式の形は第１の実施形態と同じになる。以後、第１の実施形態と同様に、フーリエ変換などの周波数分解処理とグラフとの比較から、振動位置の特定が可能である。
【００６３】
また、振動の周波数がパルス幅の時間よりも長い周期を持つゆっくりとした振動の場合には、１つのパルスの波形からは判断できない。しかし、この場合は、第１の実施形態でも述べたように、いくつかのパルス波形を並べることでゆっくりとした振動を計測することができる。例えば、パルス幅が１０μsで、振動が１kHz（周期１ms）の波形を測定しようとすると、５０個〜１００個のパルス波形をつなげることで半周期以上の波形が分かるので、振動と振動位置を識別することが可能である。すなわち、調べたい振動の周波数に応じて、パルス幅および測定波形個数を調整すれば容易に測定可能である。
【００６４】
また、１個１個のパルス波形を識別するにあたり、ＯＴＤＲのような平均化処理をしているわけではないので、各分岐下部光ファイバからのすべての光パルスが戻ってくるまで待つ必要はなく、２つパルスを入射するときに、複数の反射からのパルスが重ならなければよい。
【００６５】
［第３の実施形態］
この発明の第３の実施形態は、第１の実施形態を変形したもので、第１の実施形態と異なるところは、振動付加位置１１が光ファイバＦ０ではなく、分岐下部光ファイバＦ１〜Ｆｎのいずれかであるという点と、すべての分岐下部光ファイバＦ１〜Ｆｎの遅延時間が異なるように設定されているという点である。
【００６６】
光ファイバＦ０に光パルスを入射すると、当該光パルスは分岐部４により分岐されて各分岐下部光ファイバＦ１〜Ｆｎへ伝送される。そして、上記光パルスは各分岐下部光ファイバＦ１〜Ｆｎの遠端部５−１〜５−ｎでそれぞれ反射され、分岐下部光ファイバＦ１〜Ｆｎがそれぞれ持つ遅延時間を経て分岐部４で合成される。また、上記各分岐下部光ファイバＦ１〜Ｆｎから返送される反射光パルスのうち、振動が印加された分岐下部光ファイバから戻る反射光パルスにのみ、上記振動による位相差が発生する。したがって、位相差が現れた反射光パルスの遅延時間から、振動が加えられている分岐下部光ファイバを特定することが可能となる。
【００６７】
例えば、分岐下部ファイバＦ１〜Ｆｎを長さが全て異なるようにし、測定対象となる構造物上に接触させた状態で広げて設置すると、広げた分岐下部光ファイバＦ１〜Ｆｎの中から、どの方向に張った光ファイバが振動しているかが分かる。このため、複雑な形をした構造物であっても、その振動の発生場所を特定することが可能となる。もちろん遅延時間を異なるものにする手段は長さだけではなく、ファイバの種類や光源の波長などでも実現可能であり、その手段は問わない。
【００６８】
また、振動の周波数がパルス幅の時間よりも長い周期をもつゆっくりとした振動の場合、１つのパルスの波形からは判断できない。しかし、第１の実施形態で述べたように、複数のパルス波形を並べることでゆっくりとした振動を計測することが可能となる。例えば、パルス幅が１０μsで、振動が１kHz（周期１ms）の波形を測定しようとすると、５０個〜１００個のパルス波形をつなげることで半周期以上の波形が分かるので、振動と振動位置を識別することが可能となる。すなわち、調べたい振動の周波数に応じて、パルス幅、測定波形の個数を調整すれば容易に測定可能である。
【００６９】
さらに、１個１個のパルス波形を識別するにあたり、ＯＴＤＲのような平均化処理を行う必要がないので、すべての分岐下部光ファイバＦ１〜Ｆｎから反射光パルスが戻ってくるまで待つ必要はなく、分岐下部光ファイバＦ１〜Ｆｎの遅延時間を複数の反射パルスが重ならないように設定すれば、短時間にいくつものパルス波形を測定することが可能となる。
【００７０】
［第４の実施形態］
この発明の第４の実施形態は、前記第２の実施形態を変形したもので、第２の実施形態と異なるところは、振動付加位置１１が分岐上部の光ファイバＦ０ではなく、分岐下部光ファイバＦ１〜Ｆｎであるという点と、分岐下部光ファイバＦ１〜Ｆｎの遅延時間がすべて異なるという点である。
【００７１】
光ファイバＦ０に光パルスを入射すると、当該光パルスは分岐部４により分岐されて各分岐下部光ファイバＦ１〜Ｆｎへ伝送される。そして、上記光パルスは各分岐下部光ファイバＦ１〜Ｆｎの遠端部５−１〜５−ｎでそれぞれ反射され、分岐下部光ファイバＦ１〜Ｆｎがそれぞれ持つ遅延時間を経て分岐部４で合成される。また、上記各分岐下部光ファイバＦ１〜Ｆｎから返送される反射光パルスのうち、振動が印加された分岐下部光ファイバから戻る反射光パルスにのみ、上記振動による位相差が発生する。
【００７２】
そして、上記各分岐下部光ファイバＦ１〜Ｆｎから返送された射光パルスは、分岐部４で合成されたのち光パルス入射部３により測定用分岐線路２へ分岐され、合波部１３により参照光と合成される。そして、この合波により生成されたビート信号が受光部９で受光されて電気信号に変換され、計算処理部１０に入力される。計算処理部１０では、第２の実施形態と同様に、位相差が現れた反射光パルスが検出され、当該反射光パルスの遅延時間から、振動が加えられている分岐下部光ファイバを特定することが可能となる。
【００７３】
また、振動の周波数がパルス幅の時間よりも長い周期をもつゆっくりとした振動の場合、１つのパルスの波形からは判断できない。しかし、前記第２の実施形態で述べたように、複数のパルス波形を並べることでゆっくりとした振動を計測することが可能となる。例えば、パルス幅が１０μsで、振動が１kHz（周期１ms）の波形を測定しようとすると、５０個〜１００個のパルス波形をつなげることで半周期以上の波形を測定できるので、振動と振動位置を識別することが可能である。すなわち、調べたい振動の周波数に応じて、パルス幅および測定波形個数を調整すれば容易に測定可能である。
【００７４】
また、１個１個のパルス波形を識別するにあたり、ＯＴＤＲのような平均化処理を行う必要がないので、各分岐下部光ファイバＦ１〜Ｆｎのすべてから反射光パルスが戻ってくるまで待つ必要はなく、分岐下部光ファイバＦ１〜Ｆｎの遅延時間を複数の反射パルスが重ならないように設定すれば、短時間にいくつものパルス波形を測定することが可能となる。
【００７５】
［第５の実施形態］
図５は、この発明の第５の実施形態に係る光ファイバ振動センサの要部構成を示す図である。  
測定用の光ファイバＦ０の遠端部には、波長Ａを反射するフィルタ１４−１と、波長Ｂを反射するフィルタ１４−２が設置されている。このとき、フィルタＡからの往復遅延時間をｔa、フィルタＢからの往復遅延時間をｔbとする。
【００７６】
このような構成であるから、光ファイバＦ０に波長Ａおよび波長Ｂの光パルスを入射し、その反射されてきた光パルスを波長カプラなどで分離して、第１及び第２の実施形態で述べたように位相差を測定すれば、同じように振動の位置を特定することができる。
【００７７】
また、図１または図４に示すように複数の分岐下部光ファイバＦ１〜Ｆｎが存在する場合には、各分岐下部光ファイバＦ１〜Ｆｎにそれぞれ反射帯域の異なる２個の波長のフィルタを設置すれば、第１の実施形態及び第２の実施形態と同じように遅延時間により反射パルスを識別して分岐下部光ファイバＦ１〜Ｆｎを識別して振動位置を特定することができる。
【００７８】
［第６の実施形態］
この発明の第６の実施形態は、第５の実施形態と同じように光ファイバＦ０の遠端部に複数の波長フィルタを設置した場合に、測定光として、光パルスではなく連続光を入射するようにしたものである。このようにすると、測定光が重なっていても波長フィルタで分離できるためパルス化せずに測定することができる。
【００７９】
また、図１または図４に示すように複数の分岐下部光ファイバＦ１〜Ｆｎが存在する場合には、すべての分岐下部光ファイバＦ１〜Ｆｎの遠端反射フィルタを反射波長の異なるものとすれば、連続光を用いるだけで第５の実施形態と同じように振動位置を特定することができる。
【００８０】
［その他の実施形態］
なお、この発明は上記各実施形態に限定されるものではなく、実施段階ではその要旨を逸脱しない範囲で構成要素を変形して具体化できる。また、上記各実施形態例に開示されている複数の構成要素の適宜な組合せにより種々の発明を形成できる。例えば、実施形態例に示される全構成要素からいくつかの構成要素を削除しても良い。更に、異なる実施形態例に亘る構成要素を適宜組み合わせても良い。
【符号の説明】
【００８１】
Ｆ０…光ファイバ、Ｆ１〜Ｆｎ…分岐下部光ファイバ、１…光源、２…光パルス生成部、３…パルス入射部、４，１２…分岐部、５−１〜５−ｎ…分岐線路下部の遠端部、６…分岐部、７…遅延部、８，１３…合波部、９…受光部、１０…計算処理部、１１…振動付加部、１４−１，１４−２…反射フィルタ。
【図１】
2016085142.tif 000018
【図２】
2016085142.tif 000019
【図３】
2016085142.tif 000020
【図４】
2016085142.tif 000021
【図５】
2016085142.tif 000022